(57)【要約】【課題】吐水部を支持する支持アーム部の強度を高めることができ、しかも良好な施工性を得ることができる吐水装置を提供する。【解決手段】  壁面に沿って設置される吐水装置であって、給水路を覆うとともに壁面に沿って立ち上がる立上り支持部と、前記立上り支持部の上部から所定の方向に延びる支持アーム部と、前記支持アーム部の前記立上り支持部とは逆側に設けられ、前記給水路からの湯水を吐水する吐水部と、少なくとも一部を前記支持アーム部の内部に位置させ、前記支持アーム部を補強する補強部と、前記壁面に固定され、前記補強部を受ける補強受け部と、を備える。【選択図】図２
2020137807.tif 000002
【特許請求の範囲】
【請求項１】
壁面に沿って設置される吐水装置であって、
給水路を覆うとともに壁面に沿って立ち上がる立上り支持部と、
前記立上り支持部の上部から所定の方向に延びる支持アーム部と、
前記支持アーム部の前記立上り支持部とは逆側に設けられ、前記給水路からの湯水を吐水する吐水部と、
少なくとも一部を前記支持アーム部の内部に位置させ、前記支持アーム部を補強する補強部と、
前記壁面に固定され、前記補強部を受ける補強受け部と、を備える
ことを特徴とする吐水装置。
【請求項２】
前記補強部は、前記支持アーム部の延設方向に沿う横延伸部と、前記横延伸部に対して屈曲状に形成された縦延伸部と、を有し、
前記補強受け部は、前記縦延伸部を受ける凹部を有する
ことを特徴とする請求項１に記載の吐水装置。
【請求項３】
前記補強受け部は、上流側の給水路と接続する流入口と、下流側の給水路と接続する流出口と、前記流入口および前記流出口をつなぐ内部流路と、を有する
ことを特徴とする請求項１または２に記載の吐水装置。
【請求項４】
前記補強受け部は、前記立上り支持部内に位置する縦ブロック部と、前記支持アーム部内に位置する横ブロック部と、を有し、前記縦ブロック部および前記横ブロック部とにより側面視で略Ｌ字形状に構成されている
ことを特徴とする請求項１乃至３の何れか１項に記載の吐水装置。
【発明の詳細な説明】
【技術分野】
【０００１】
本発明は、壁面に沿って設置される吐水装置に関する。
【背景技術】
【０００２】
従来、壁面に鉛直方向に延びるように設置される吐水装置（例えば、シャワー装置）が存在する。このような吐水装置では、壁面に沿って鉛直方向に延びる立上り部（垂直方向のバー部分）を、壁面に取り付けることにより吐水装置を壁面に固定することが多い。
【０００３】
例えば、吐水装置の立上り部（鉛直方向のバー部分）の下端部に配置された第１脚部と、その立上り部の中央よりもやや上側に配置された第２脚部とにより壁面に固定する吐水装置が提案されている（例えば、特許文献１参照。）。
【先行技術文献】
【特許文献】
【０００４】
【特許文献１】特開２００８−２２０８２２号公報
【発明の概要】
【発明が解決しようとする課題】
【０００５】
上述の従来技術では、吐水装置の立上り部（鉛直方向のバー部分）の２つの脚部で吐水装置を壁面に固定する。このような吐水装置では、立上り部の上端部から水平方向に延びる部材（支持アーム部）の先端に吐水部（シャワーヘッド）が設置されるため、その支持アーム部の先端部に大きな過重がかかる。このため、支持アーム部が前下がりに傾くように変形するという問題が生じる可能性がある。
【０００６】
そこで、支持アーム部の先端部に大きな過重がかかることを考慮して、支持アーム部の強度を高めるとともに、吐水装置全体の強度を高めることが重要である。
【０００７】
本発明は、上述した問題点に鑑みてなされたものであり、吐水部を支持する支持アーム部の強度を高めることができ、しかも良好な施工性を得ることができる吐水装置を提供することを目的とする。
【課題を解決するための手段】
【０００８】
本発明に係る吐水装置は、壁面に沿って設置される吐水装置であって、給水路を覆うとともに壁面に沿って立ち上がる立上り支持部と、前記立上り支持部の上部から所定の方向に延びる支持アーム部と、前記支持アーム部の前記立上り支持部とは逆側に設けられ、前記給水路からの湯水を吐水する吐水部と、少なくとも一部を前記支持アーム部の内部に位置させ、前記支持アーム部を補強する補強部と、前記壁面に固定され、前記補強部を受ける補強受け部と、を備えるものである。
【０００９】
このような構成の吐水装置によれば、施工性を向上させつつ、支持アーム部の強度を高めることができる。
【００１０】
本発明に係る吐水装置の他の態様は、前記吐水装置において、前記補強部は、前記支持アーム部の延設方向に沿う横延伸部と、前記横延伸部に対して屈曲状に形成された縦延伸部と、を有し、前記補強受け部は、前記縦延伸部を受ける凹部を有するものである。
【００１１】
このような構成の吐水装置によれば、補強部には横延伸部と縦延伸部と設け、補強受け部には縦延伸部を受ける凹部を設けることにより、支持アーム部の強度をさらに高めることができる。
【００１２】
本発明に係る吐水装置の他の態様は、前記吐水装置において、前記補強受け部は、上流側の給水路と接続する流入口と、下流側の給水路と接続する流出口と、前記流入口および前記流出口をつなぐ内部流路と、を有するものである。
【００１３】
このような構成の吐水装置によれば、立上り支持部と支持アーム部との角部分における内部流路を直角に形成することができる。
【００１４】
本発明に係る吐水装置の他の態様は、前記吐水装置において、前記補強受け部は、前記立上り支持部内に位置する縦ブロック部と、前記支持アーム部内に位置する横ブロック部と、を有し、前記縦ブロック部および前記横ブロック部とにより側面視で略Ｌ字形状に構成されているものである。
【００１５】
このような構成の吐水装置によれば、補強受け部と壁面との接触面積を広くすることができ、壁面に加わる力を小さくすることができる。
【発明の効果】
【００１６】
本発明によれば、吐水部を支持する支持アーム部の強度を高めることができ、しかも良好な施工性を得ることができる。
【図面の簡単な説明】
【００１７】
【図１】本発明の一実施形態に係る吐水装置の外観構成例を示す斜視図である。
【図２】本発明の一実施形態に係る補強部材および補強受け部材の構成例を示す斜視図である。
【図３】本発明の一実施形態に係る補強部材および補強受け部材の構成例を示す側面図である。
【図４】本発明の一実施形態に係る補強部および補強受け部材の構成例を示す断面図である。
【図５】本発明の一実施形態に係る補強部材の構成例を示す図である。
【図６】本発明の一実施形態に係る補強受け部材の構成例を示す図である。
【図７】本発明の一実施形態に係る補強受け部材の構成例を示す図である。
【図８】本発明の一実施形態に係る水平アーム部の構成例を示す図である。
【図９】本発明の一実施形態に係る吐出装置の内部における給水路の構成例を示す断面斜視図である。
【発明を実施するための形態】
【００１８】
本発明は、壁面に沿って立ち上がる立上り支持部の上部から所定の方向（例えば水平方向）に延びる支持アーム部の先端部に大きな過重がかかることを考慮して、支持アーム部の強度を高めるための工夫をすることにより、吐水装置の施工性を向上させつつ、支持アーム部および吐水装置全体の強度を高めた装置構成を実現しようとするものである。以下、本発明の実施の形態について図面を参照して説明する。
【００１９】
［吐水装置の構成例］
図１は、本発明の一実施形態に係る吐水装置１００の外観構成例を示す斜視図（左斜め前方から見た場合の斜視図）である。
【００２０】
吐水装置１００は、壁面１０に沿って設置されている。吐水装置１００は、例えば、壁面１０をなす壁に対して設けられ、矩形板状の形状を有する吐水部１４０から使用者の頭上に吐水を行うオーバーヘッドシャワー装置である。
【００２１】
吐水装置１００は、操作部１１０と、立上り支持部としての立上り支柱部１２０と、支持アーム部としての水平アーム部１３０と、吐水部１４０と備える。吐水装置１００は、給水管（図示略）から供給される水と、給湯管（図示略）から供給される湯水とを混合して吐水部１４０から吐水させる装置である。
【００２２】
操作部１１０は、吐水装置１００の下端部に配置される箱状の本体部である。また、操作部１１０の内部には、立上り支柱部１２０、水平アーム部１３０を介して吐水部１４０に湯水を供給するための給水路（給水管）等が配置される。
【００２３】
また、操作部１１０は、吐水部１４０からの湯水吐出量の調節や、湯水の温度調節を行うための複数の操作部材を正面カバー１１１に備える。また、操作部１１０の左側（図１の手前側）には、使用者がシャワーの使用時に使用するもの（例えば、シャンプー）を置くための棚１１２が設けられる。なお、吐水装置１００には、吐水部１４０以外に、ハンドシャワー（例えば、使用者が手に持って使用する小型の吐水装置）等の吐水装置を設けるようにしてもよい。例えば、操作部１１０から延びるホースの端部にハンドシャワーを設けることができる。
【００２４】
立上り支柱部１２０は、給水路を覆うとともに壁面１０に沿って立ち上がった部分であり、操作部１１０から上方に向けて鉛直状に延設された断面略方形状の柱状の部分である。立上り支柱部１２０の内部には、操作部１１０で温度調節された湯水が流通するための給水路４００、４１０（図２、図９参照）が設けられている。立上り支柱部１２０は、給水路４００、４１０を覆うとともに壁面１０に沿って立設され、壁面１０に対して所定の位置に固定された状態で設けられている。立上り支柱部１２０は、その内部の給水路を操作部１１０内の水路と連通接続させた状態で、下端部を操作部１１０に連結させ、上端部を水平アーム部１３０に連結させている。また、立上り支柱部１２０の内部を流通する湯水が流通する給水路は、操作部１１０に設けた操作部材の操作によって切り替え制御される。
【００２５】
水平アーム部１３０は、立上り支柱部１２０の上部から所定の方向に延びる部分である。本実施形態では、水平アーム部１３０は、立上り支柱部１２０の上端から前方に向けて水平状に延設された断面略方形状の部分であり、壁面１０に対して垂直方向に突設している。水平アーム部１３０の内部には、立上り支柱部１２０内の給水路に連通した給水路４２０、４３０（図２、図９参照）が設けられている。水平アーム部１３０の壁面１０側下部は立ち上がり支柱部１２０に支持されており、また、水平アーム部１３０の壁面１０側端部はビスやネジ等の締結具を介して壁面１０に固定されている。また、水平アーム部１３０の立上り支柱部１２０とは逆側、つまり水平アーム部１３０の先端側には、吐水部１４０が連結されている。立上り支柱部１２０及び水平アーム部１３０により、吐水部１４０に対する給水路として、立上り支柱部１２０及び水平アーム部１３０の外形に沿った「Ｌ」字状の給水路が構成されている。なお、水平アーム部１３０については、図８を参照して詳細に説明する。
【００２６】
吐水部１４０は、水平アーム部１３０の立上り支柱部１２０とは逆側に設けられ、給水路から供給される湯水を吐水するシャワーヘッドである。すなわち、吐水部１４０は、立上り支柱部１２０、水平アーム部１３０の内部に設けられる給水路４００、４１０、４２０、４３０（図２、図９参照）を介して供給される湯水を、下面において等間隔に設けられる複数の散水孔や、下面の中心部分に設けられる吐水口から吐水する。なお、複数の散水孔からの吐水と、中心部分の吐水口からの吐水とについては、操作部１１０の正面カバー１１１に設けられる操作部材を用いた操作により切り替えることができる。
【００２７】
本実施形態に係る吐水装置１００は、水平アーム部１３０を補強するための構成として、少なくとも一部を水平アーム部１３０の内部に位置させ、水平アーム部１３０を補強する補強部をなす補強部材２００と、壁面１０に固定され、補強部材２００を受ける補強受け部をなす補強受け部材３００とを備える。以下、これらの構成について説明する。
【００２８】
［補強部および補強受け部の構成例］
図２乃至図４は、本発明の一実施形態に係る補強部材２００および補強受け部材３００の構成例を示す図である。なお、図２、図３では、補強部材２００、補強受け部材３００を覆う立上り支柱部１２０、水平アーム部１３０を点線で示す。また、図２には、補強部材２００および補強受け部材３００の外観構成例として吐水装置１００を上側から見た場合の斜視図を示す。また、図３には、補強部材２００および補強受け部材３００の外観構成例として側面から見た場合の側面図を示す。また、図４には、補強部材２００および補強受け部材３００の構成例として断面図（図２に示すネジ１２を通る断面（吐水装置１００を前後方向で２分割した断面））を示す。
【００２９】
水平アーム部１３０の内部には、水平アーム部１３０の補強を行う補強部材２００が設けられている。また、立上り支柱部１２０と水平アーム部１３０との角部分には、補強部材２００を受ける補強受け部材３００が設けられている。なお、補強部材２００については、図５を参照して詳細に説明する。また、補強受け部材３００については、図６、図７を参照して詳細に説明する。
【００３０】
補強受け部材３００は、孔３５１乃至３５３（図７参照）を通したネジ１１乃至１３により壁面１０に固定される。また、図４に示すように、補強受け部材３００は、立上り支柱部１２０の背面側の孔１２２を通したネジ４１により立上り支柱部１２０に固定される。
【００３１】
また、補強受け部材３００は、上流側の給水路４００、４１０と接続されるとともに、下流側の給水路４２０、４３０と接続される。なお、上流側の給水路４００、４１０は、立上り支柱部１２０の内部に固定される保持部１２１により保持される。また、下流側の給水路４２０、４３０は、水平アーム部１３０の内部に固定される保持部４４０により保持される。なお、保持部４４０は、水平アーム部１３０の孔１３７（図８参照）を通したネジ２２により、水平アーム部１３０に固定される。
【００３２】
また、補強部材２００の孔２１３、２１４（図５参照）には、補強部材２００および補強受け部材３００を固定するための留め具２４０、２５０（図６、図７参照）が溶接される。そして、補強部材２００は、留め具２４０、２５０の孔２４１、２５１（図７（Ｃ）参照）を通したネジ３１、３２により、壁面１０に固定された補強受け部材３００に固定される。
【００３３】
ここで、吐水部１４０は、比較的大きな箱状のものであるとともに少なくとも一部が金属製であるため、比較的重くなることが多い。このため、立上り支柱部１２０から水平方向に伸びる水平アーム部１３０の先端部（吐水部１４０側の端部）には大きな過重がかかることが想定される。このように、吐水部１４０が大きくなり、水平アーム部１３０に加わる力が大きくなると、水平アーム部１３０が撓んで前下がりになったり、水平アーム部１３０が変形したりするおそれがある。
【００３４】
そこで、水平アーム部１３０の補強を行うための補強部を設けることが考えられる。しかしながら、立上り支柱部１２０を壁面１０に固定するためには、水平アーム部１３０の吐水部１４０側からネジ固定しなければならない。このため、水平アーム部１３０が長くなると、そのような補強部を壁面１０に固定しづらくなるおそれがある。また、立上り支柱部１２０を壁面１０に固定する場合に、立上り支柱部１２０の中央付近（上下方向の中央付近）を固定位置にすると、立上り支柱部１２０および水平アーム部１３０が撓みやすいことが想定される。
【００３５】
そこで、本実施形態では、補強部材２００を受ける補強受け部材３００を設け、補強受け部材３００と補強部材２００とを接続することで、吐水装置１００の施工性を向上させつつ、吐水装置１００の強度を高めることができる。
【００３６】
また、補強受け部材３００をネジ１１乃至１３で壁面１０に固定することにより、立上り支柱部１２０の最上端を壁面１０に固定することができる。これにより、立上り支柱部１２０の最上端で力を受けながら、壁面１０よりも手前方向に水平アーム部１３０を伸ばすことができる。
【００３７】
［補強部材の構成例］
図５は、本発明の一実施形態に係る補強部材２００の構成例を示す図である。図５（Ａ）には、補強部材２００の側面図（図２の手前側から見た場合の側面図）を示す。また、図５（Ｂ）には、補強部材２００の上面図を示す。また、図５（Ｃ）には、補強部材２００の下面図を示す。また、図５（Ｄ）には、補強部材２００の正面図（吐水部１４０側から見た場合の図）を示す。また、図５（Ｅ）には、補強部材２００の背面図（壁面側から見た場合の図）を示す。
【００３８】
補強部材２００は、水平アーム部１３０の内部に設けられ、水平アーム部１３０の補強を行う補強部材である。すなわち、補強部材２００は、水平アーム部１３０の強度を確保するための補強部材である。また、図５（Ｄ）（Ｅ）に示すように、補強部材２００は、正面視で略コの字形状である。また、図５（Ａ）に示すように、補強部材２００は、側面視で略Ｌ字形状である。また、補強部材２００は、例えば、たわみにくく、剛性を有する板状部材（例えば、ＳＵＳ製の板状部材）を曲げ加工して形成される。
【００３９】
補強部材２００は、水平アーム部１３０の延設方向である水平方向に沿う横延伸部としての上面部２１０と、上面部２１０に対して屈曲状に形成された縦延伸部としての左右の側面部２２０、２３０とを有する。本実施形態では、上面部２１０と左右の側面部２２０、２３０とは直角状をなし、横断面視において下側を開放側とした略「コ」字状に形成されている。左右の側面部２２０、２３０は、その後端部に、下方に向けて延設された縦延伸部２２１、２３１を有する。補強部材２００は、上面部２１０およびこれに沿って水平状に延伸した側面部２２０、２３０の部分と、縦延伸部２２１、２３１とにより、側面視で略Ｌ字形状に形成されている。これにより、補強部材２００の強度を高めることができる。
【００４０】
上面部２１０は、水平アーム部１３０の上面部１３１（図８参照）の下部分に配置される。また、上面部２１０には、上面視で略Ｔ字形状の孔２１１と、水平アーム部１３０と補強部材２００と補強受け部材３００とを固定するためのネジ２１（図２、図４参照）を通す孔２１２と、留め具２４０、２５０（図６、図７参照）が溶接される孔２１３、２１４と、吐水部１４０側の凹部２１５とが設けられる。
【００４１】
側面部２２０、２３０は、水平アーム部１３０の側面部１３２、１３３（図８参照）に隣接するように配置される。また、側面部２２０の背面側には、縦延伸部２２１が設けられる。また、側面部２３０の背面側には、縦延伸部２３１が設けられる。側面部２２０の後端部および縦延伸部２２１は、補強受け部材３００の凹部３１１（図６参照）に嵌るように形成される。また、側面部２３０の後端部および縦延伸部２３１は、補強受け部材３００の凹部３１２（図６参照）に嵌るように形成される。
【００４２】
［補強受け部材の構成例］
図６、図７は、本発明の一実施形態に係る補強受け部材３００の構成例を示す図である。図６（Ａ）には、補強受け部材３００の側面図（図２の手前側から見た場合の側面図）を示す。また、図６（Ｂ）には、補強受け部材３００の上面図を示す。また、図６（Ｃ）には、補強受け部材３００の下面図を示す。また、図７（Ａ）には、補強受け部材３００の正面図（吐水部１４０側から見た場合の図）を示す。また、図７（Ｂ）には、補強受け部材３００の背面図（壁面側から見た場合の図）を示す。また、図７（Ｃ）には、補強受け部材３００の斜視図（上側から見た場合の図）を示す。
【００４３】
補強受け部材３００は、壁面に固定されるとともに、立上り支柱部１２０および水平アーム部１３０の内部（立上り支柱部１２０および水平アーム部１３０の交差部分）に設置され、補強部材２００を受ける補強受け部材である。すなわち、補強受け部材３００は、立上り支柱部１２０および水平アーム部１３０の強度を確保するための補強部材である。また、図６（Ａ）に示すように、補強受け部材３００は、側面視で略Ｌ字形状である。また、補強受け部材３００は、例えば、金属製（例えば、ＳＵＳ）とすることができる。
【００４４】
補強受け部材３００は、水平方向に延びる横ブロック部としての横延伸部３１０と、横延伸部３１０の後端部から下方に向けて延伸する縦ブロック部としての縦延伸部３３０とを有する。横延伸部３１０は、水平アーム部１３０の後端部に挿嵌された状態で、水平アーム部１３０内に位置する。縦延伸部３３０は、立上り支柱部１２０の上端部に挿嵌された状態で、立上り支柱部１２０内に位置する。補強受け部材３００は、横延伸部３１０と縦延伸部３３０とにより略Ｌ字形状に構成されている。また、補強受け部材３００の上面には、凹部３１３が設けられる。また、補強受け部材３００の左右方向の側面には、凹部３１１、３１２が設けられる。
【００４５】
凹部３１３は、補強部材２００の上面部２１０の背面側の端部が設置される部分であり、上面部２１０の背面側の端部が嵌るように凹部が形成される。なお、補強部材２００の上面部２１０には、上面視で略Ｔ字形状の孔２１１（図５（Ｂ）（Ｃ）参照）が設けられている。このため、補強受け部材３００の上面において、孔２１１に対応する凸部３１７、３１８が形成される。
【００４６】
また、凹部３１１は、補強部材２００の側面部２２０の背面側の端部と縦延伸部２２１とが設置される部分であり、側面部２２０の背面側の端部と縦延伸部２２１とが嵌るようにこれらの部分の形状に合わせて側面視で「Ｌ」字状に形成されている。また、補強受け部材３００の左側面において、凹部３１１以外の部分には、凸部３２３、３３３が形成される。凹部３１１は、側面部２２０の背面側の端部に対応した水平方向に沿う横部分と、縦延伸部２２１に対応した鉛直方向に沿う縦部分とを有する。そして、凹部３１１は、横部分の下側に、凸部３２３に対する段差面を形成し、縦部分の下側および後側に、凸部３３３に対する段差面を形成している。
【００４７】
また、凹部３１２は、補強部材２００の側面部２３０の背面側の端部と縦延伸部２３１とが設置される部分であり、側面部２３０の背面側の端部と縦延伸部２３１とが嵌るようにこれらの部分の形状に合わせて側面視で「Ｌ」字状に形成されている。また、補強受け部材３００の右側面において、凹部３１２以外の部分には、凸部３２４、３３４が形成される。凹部３１２は、側面部２３０の背面側の端部に対応した水平方向に沿う横部分と、縦延伸部２３１に対応した鉛直方向に沿う縦部分とを有する。そして、凹部３１２は、横部分の下側に、凸部３２４に対する段差面を形成し、縦部分の下側および後側に、凸部３３４に対する段差面を形成している。
【００４８】
このように、補強受け部材３００は、補強部材２００の左右の側面部２２０、２３０を受ける凹部３１１、３１２を有する。そして、補強受け部材３００の左右方向の側面において、凹部３１１、３１２以外の部分に凸部３２３、３２４、３３３、３３４が形成されることにより、補強部材２００を下側および背面側から支持することができる。これにより、補強部材２００の強度を高めることができる。すなわち、凹部３１１、３１２において、水平方向に沿う横部分の下側の段差面、並びに鉛直方向に沿う縦部分の下側および後側の段差面が、吐水部１４０側で重力による荷重を受ける補強部材２００の支持面となり、補強部材２００を介して水平アーム部１３０を補強することができる。
【００４９】
また、図７に示すように、補強受け部材３００の背面には、３つの孔３５１乃至３５３が設けられる。孔３５１乃至３５３は、ネジ１１乃至１３を通す孔であり、ネジ１１乃至１３により補強受け部材３００が壁面に固定される。
【００５０】
また、補強受け部材３００の上面における凹部３１３には、前後方向に延びる３つの凹部３１４乃至３１６が設けられる。凹部３１４乃至３１６は、補強受け部材３００を壁面に固定する場合に、孔３５１乃至３５３に通したネジ１１乃至１３を壁面にねじ込む作業を容易にするために設けられる凹部である。
【００５１】
また、図６（Ｂ）、図７（Ｃ）に示すように、凹部３１４には、補強部材２００の孔２１３の付近に溶接される留め具２４０が配置され、留め具２４０の孔２４１を通したネジ３１を受けるネジ受け部３２１（図７（Ｃ）参照）が設けられる。留め具２４０は、側面視で略コの字形状の金具である。また、留め具２４０の略コの字形状の２つの先端部２４２、２４３は、孔２１３の前後方向の端部付近に溶接される。このため、先端部２４２、２４３は、補強部材２００の裏面における孔２１３の前後方向の端部付近の形状に合うように形成される。
【００５２】
また、図６（Ｂ）、図７（Ｃ）に示すように、凹部３１６には、補強部材２００の孔２１４の付近に溶接される留め具２５０が配置され、留め具２５０の孔２５１を通したネジ３２を受けるネジ受け部３２２（図７（Ｃ）参照）が設けられる。留め具２５０は、側面視で略コの字形状の金具である。また、留め具２５０の略コの字形状の２つの先端部２５２、２５３は、孔２１４の前後方向の端部付近に溶接される。このため、先端部２５２、２５３は、補強部材２００の裏面における孔２１４の前後方向の端部付近の形状に合うように形成される。
【００５３】
このように、補強部材２００の孔２１３の付近に溶接される留め具２４０と、補強部材２００の孔２１４の付近に溶接される留め具２５０とを用いて、補強部材２００と補強受け部材３００とが、ネジ３１、３２（図２、図９参照）により固定される。
【００５４】
また、図６（Ｂ）に示すように、凹部３１５にはネジ受け部２６０が設けられる。ネジ受け部２６０は、水平アーム部１３０の孔１３８（図８（Ｂ）参照）、補強部材２００の孔２１２（図５（Ｂ）（Ｃ））、ワッシャー２６１を貫通したネジ２１（図２、図６（Ｂ）参照）を受け付ける。
【００５５】
また、図６（Ｃ）に示すように、補強受け部材３００の下部には、上流側の給水路４００と接続する流入口３３１と、上流側の給水路４１０と接続する流入口３３２とが設けられる。また、流入口３３１には、給水路４００の軸シール部４０１（図９参照）が挿入され、流入口３３２には、給水路４１０の軸シール部（図示略）が挿入される。
【００５６】
また、図７（Ａ）に示すように、補強受け部材３００の正面側には、下流側の給水路４２０と接続する流出口３４１と、下流側の給水路４３０と接続する流出口３４２とが設けられる。また、流出口３４１には、給水路４２０の軸シール部４２１（図９参照）が挿入され、流出口３４２には、給水路４３０の軸シール部（図示略）が挿入される。なお、補強受け部材３００において、給水路４２０が挿入される部分の上側に設けられる凸部３１７は、流出口３４１付近を補強するための補強部としても機能し、給水路４３０が挿入される部分の上側に設けられる凸部３１８は、流出口３４２付近を補強するための補強部としても機能する。
【００５７】
また、補強受け部材３００の内部において、流入口３３１と流出口３４１とをつなぐＬ字形状の内部流路３６１（図９参照）が形成される。同様に、補強受け部材３００の内部において、流入口３３２と流出口３４２とを結ぶＬ字形状の内部流路（図示略）が形成される。このように、補強受け部材３００は、立上り支柱部１２０と水平アーム部１３０の直角状の角部分において、吐水部１４０への給水経路の一部を形成するＬ字状の通水ブロックを構成している。
【００５８】
ここで、例えば、立上り支柱部１２０と水平アーム部１３０の直角状の角部分において、その角部分の形状に合わせて給水管を直角に曲げた構成を想定する。このような構成によれば、直角状に曲げた部分の給水管の内部における流路断面積が狭くなり、所望の流量を吐水することができなくなるおそれがある。そこで、本実施形態では、補強受け部材３００に内部流路３６１を設けることで、立上り支柱部１２０と水平アーム部１３０との角部分を直角に形成することができ、この角部分において容易に所望の流量を確保することができる。
【００５９】
このように、補強受け部材３００を側面視で略Ｌ字形状に形成することで、壁面との接触面積を広くすることができ、壁面に加わる力を小さくすることができる。なお、補強受け部材３００は、水平アーム部１３０の投影面（正面側から見た場合の投影面）に少なくとも一部がかかるようにが設置されることで、水平アーム部１３０の強度を高めることができる。
【００６０】
［水平アーム部の構成例］
図８は、本発明の一実施形態に係る水平アーム部１３０の構成例を示す図である。図８（Ａ）には、水平アーム部１３０の側面図（図２の手前側から見た場合の側面図）を示す。また、図８（Ｂ）には、水平アーム部１３０の上面図を示す。また、図８（Ｃ）には、水平アーム部１３０の下面図を示す。また、図８（Ｄ）には、水平アーム部１３０の正面図（吐水部１４０側から見た場合の図）を示す。また、図８（Ｅ）には、水平アーム部１３０の背面図（壁面側から見た場合の図）を示す。
【００６１】
水平アーム部１３０は、立上り支柱部１２０の上部から水平方向に延びるように設置されるアーム部材であり、補強部材２００を覆うように設置される。また、図８（Ｄ）（Ｅ）に示すように、水平アーム部１３０は、正面視で略ロの字形状である。なお、水平アーム部１３０は、例えば、たわみにくく、剛性を有する板状部材（例えば、ＳＵＳ製の板状部材）を曲げ加工して形成される。例えば、そのような板状部材を曲げ加工して形成される正面視で略コの字形状の部材（上面部１３１、側面部１３２、１３３）と、下面に相当する板状部材（下面部１３４）とを組み合わせて構成することができる。
【００６２】
水平アーム部１３０は、上面部１３１と、側面部１３２、１３３と、下面部１３４とを備える。上面部１３１は、補強部材２００の上面部２１０の上側に重ねて配置される。また、上面部１３１には、複数の孔１３５乃至１３８が設けられる。孔１３８は、補強部材２００の上面部２１０の孔２１２を用いて水平アーム部１３０と補強部材２００とを固定するためのネジ孔である。また、孔１３７は、給水路４２０と給水路４３０とを保持する保持部４４０（図４、図９参照）を固定するためのネジ孔である。
【００６３】
側面部１３２、１３３は、補強部材２００の側面部２２０、２３０を覆うように配置される。
【００６４】
［吐出装置の内部における給水路の構成例］
図９は、本発明の一実施形態に係る吐水装置１００の内部における給水路の構成例を示す断面斜視図である。図９には、給水路４００、４２０を通る断面（吐水装置１００の前後方向で分割する断面）を示す。すなわち、図９では、給水路４００、４２０、補強受け部材３００の内部流路３６１により形成される給水路の断面図を示す。
【００６５】
ここで、立上り支柱部１２０の内部には、給水路４００、４１０が設置され、水平アーム部１３０の内部には、給水路４２０、４３０が設置される。また、給水路４００、４２０は、補強受け部材３００の内部流路３６１に接続され、給水路４１０、４３０は、補強受け部材３００の他の内部流路（図示略）に接続される。内部流路３６１は、側面視で略Ｌ字形状の給水路である。なお、給水路４００の構成は、給水路４１０の構成と略同一であり、給水路４２０の構成は、４３０の構成と略同一であり、内部流路３６１の構成は、他の内部流路（給水路４１０、４３０に接続される内部流路）の構成と略同一である。このため、図９では、主に、給水路４００、４２０、内部流路３６１の構成について説明し、給水路４１０、４３０、他の内部流路（図示略）の説明および図示の一部を省略する。
【００６６】
また、給水路４００、４２０、補強受け部材３００の内部流路３６１により形成される給水路では、例えば、吐水部１４０の下面において等間隔に設けられる複数の散水孔から散水される湯水が搬送される。また、給水路４１０、４３０、補強受け部材３００の他の内部流路（図示略）により形成される給水路では、例えば、吐水部１４０の下面の中心部分に設けられる吐水口から吐水される湯水が搬送される。
【００６７】
給水路４００の下流端部には、軸シール部４０１が設けられる。軸シール部４０１は、給水路４００と内部流路３６１との間の水密性を確保するための部分であり、例えば、２本のＯリング（例えば、ゴム製）４０２、４０３が外周面に取り付けられる。
【００６８】
また、給水路４２０の上流端部には、軸シール部４２１が設けられる。軸シール部４２１は、給水路４２０と内部流路３６１との間の水密性を確保するための部分であり、例えば、２本のＯリング（例えば、ゴム製）４２２、４２３が外周面に取り付けられる。
【００６９】
また、補強受け部材３００の内部流路３６１の流入口３３１（図６（Ｃ）参照）には、給水路４００の軸シール部４０１が挿入される。また、補強受け部材３００の他の内部流路（図示略）の流入口３３２（図６（Ｃ）参照）には、給水路４１０の軸シール部（図示略）が挿入される。
【００７０】
また、補強受け部材３００の内部流路３６１の流出口３４１（図７（Ａ）参照）には、給水路４２０の軸シール部４２１が挿入される。また、補強受け部材３００の他の内部流路（図示略）の流出口３４２（図７（Ａ）参照）には、給水路４３０の軸シール部（図示略）が挿入される。
【００７１】
また、補強受け部材３００の内部流路３６１の流出口３４１に接続される給水路４２０と、補強受け部材３００の他の内部流路（図示略）の流出口３４２に接続される給水路４３０とは、補強部材２００の下面に取り付けられる保持部４４０に保持される。保持部４４０は、給水路４２０、４３０が貫通する２つの孔４４１、４４２を備える直方体形状の部材である。また、保持部４４０は、上面に設けられるネジ受け部４４３（図４参照）と水平アーム部１３０の孔１３７とがネジ２２により固定される。なお、保持部４４０の上面と、水平アーム部１３０の上面部１３１の下面との間には、補強部材２００が配置される。また、保持部４４０を固定するためのネジ２２は、補強部材２００の孔２１１を貫通する。
【００７２】
［立上り支柱部、水平アーム部、補強部材、補強受け部材の組立例］
次に、立上り支柱部１２０、水平アーム部１３０、補強部材２００および補強受け部材３００を組み立てる場合の組立例について説明する。
【００７３】
最初に、保持部１２１に保持される給水路４００、４１０を補強受け部材３００の流入口３３１、３３２に挿入する（図９参照）。そして、立上り支柱部１２０と補強受け部材３００とを孔１２２を通したネジ４１（図４参照）で固定する。
【００７４】
次に、立上り支柱部１２０に固定された補強受け部材３００の孔３５１乃至３５３（図７参照）を通したネジ１１乃至１３（図２参照）で、補強受け部材３００を壁面１０に固定する（図３参照）。この場合に、水平方向に延びる水平アーム部１３０が取り付けられていないため、補強受け部材３００の壁面１０への取り付け作業が容易である。また、補強受け部材３００の上面における凹部３１３（図６（Ｂ）参照）には、前後方向に延びる３つの凹部３１４乃至３１６が設けられているため、孔３５１乃至３５３に通したネジ１１乃至１３を壁面１０にねじ込む作業が容易である。
【００７５】
次に、壁面１０に固定された補強受け部材３００と補強部材２００とを、ネジ３１、３２（図２参照）をネジ受け部３２１、３２２（図７（Ｃ）参照）にねじ込んで固定する。すなわち、補強部材２００の孔２１３の付近に溶接される留め具２４０の孔２４１にネジ３１を通してネジ受け部３２１（図７参照）にねじ込んで固定する。また、補強部材２００の孔２１４の付近に溶接される留め具２５０の孔２５１にネジ３２を通してネジ受け部３２２（図７参照）にねじ込んで固定する。
【００７６】
次に、補強受け部材３００の流出口３４１、３４２に給水路４２０、４３０を挿入するとともに、保持部４４０の孔４４１、４４２に給水路４２０、４３０を挿入する。次に、水平アーム部１３０の孔１３７（図８参照）を通したネジ２２（図２、図９参照）で保持部４４０を水平アーム部１３０に固定する。また、水平アーム部１３０の孔１３８（図８（Ｂ）参照）、補強部材２００の孔２１２（図５参照）を通したネジ２１（図２、図９参照）で水平アーム部１３０と補強部材２００と補強受け部材３００とを固定する。
【００７７】
最後に、水平アーム部１３０の先端部に他の部材（吐水部１４０等）を取り付ける。
【００７８】
このように、本実施形態によれば、吐水装置１００が、立上り支柱部１２０の上端部分を固定する固定部材（補強受け部材３００）と、その固定部材（補強受け部材３００）に対して固定され、水平方向に伸びる腕部材（補強部材２００）とを備えることにより、吐水装置１００（特に、水平アーム部１３０）の強度を高めることができる。すなわち、壁面１０に沿って設置される吐水装置１００の強度を高めることができる。
【００７９】
また、本実施形態によれば、立上り支柱部１２０を壁面１０にぴったりと沿わせるような構造とすることができるため、吐水装置１００のデザイン性を高めることができる。
【００８０】
なお、本実施形態で示した補強部材２００、補強受け部材３００は一例であり、補強部材２００、補強受け部材３００の一部を変形した場合についても本実施形態を適用することができる。
【００８１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００８２】
１１〜１３、２１〜２３、３１、３２、４１  ネジ
１００  吐水装置
１１０  操作部
１２０  立上り支柱部（立上り支持部）
１２１、４４０  保持部
１２２、１３７、２１１〜２１４、２４１、２５１、３５１〜３５３  孔
１３０  水平アーム部（支持アーム部）
１３２、１３３  側面部
１３１  上面部
１４０  吐水部
２００  補強部材
２１０  上面部
２１５  凹部
２２０、２３０  側面部
２２１、２３１  縦延伸部
２４０、２５０  留め具
２４２、２４３、２５２、２５３  先端部
３００  補強受け部材
３１０  横延伸部（横ブロック部）
３１１〜３１６  凹部
３１７、３１８、３２３、３２４  凸部
３２１、３２２  ネジ受け部
３３０  縦延伸部（縦ブロック部）
３３１、３３２  流入口
３４１、３４２流出口
３６１  内部流路
４００、４１０、４２０、４３０  給水路
４０１、４２１  軸シール部
４０２、４０３、４２２、４２３  Ｏリング
【図１】
2020137807.tif 000003
【図２】
2020137807.tif 000004
【図３】
2020137807.tif 000005
【図４】
2020137807.tif 000006
【図５】
2020137807.tif 000007
【図６】
2020137807.tif 000008
【図７】
2020137807.tif 000009
【図８】
2020137807.tif 000010
【図９】
2020137807.tif 000011